(57)【要約】【課題】中綴じ折り冊子の折りの戻りによる冊子の膨らみを少くする折り強化手段を備えた製本処理装置の提供。【解決手段】用紙供給装置から１枚ずつ供給されて来る用紙を１冊分の用紙束まで蓄積する蓄積部17と、用紙束の中央を綴じる綴じ手段15と、二つ折りにする折り手段（折りナイフ18、折りローラ14）と、冊子押圧手段（押圧部材５、押圧部材駆動手段４、受け板８）と、制御手段19を設け、制御手段19が最終用紙供給信号又は最終用紙の通過を示す信号を受けたら綴じ折りを開始させるとともに、冊子押圧手段での前の冊子に対する押圧を解除し排出させ、その後へ綴じ折りの完了した中綴じ折り冊子を送り込み押圧を開始することにより、用紙の蓄積にかかる時間を大幅に押圧時間として活用し、折りを強化する。【選択図】図１
2007191280.tif 000002
【特許請求の範囲】
【請求項１】
用紙供給装置から１枚ずつ供給されて来る用紙を１冊分の用紙束まで蓄積する蓄積部と、
蓄積部に蓄積された用紙束の中央を綴じる綴じ手段と、
綴じた部分で用紙束を二つ折りにする折り手段と、
折りの戻りによるふくらみをなくするように折り目部分を押圧する冊子押圧手段と、
前記各手段の可動部の駆動制御をする制御手段とを有する製本処理装置において、
冊子押圧手段は、冊子の片面を受ける受け板と、
冊子の他面側から接近して他面を押え受け板との間で冊子を挟んで折り目を押圧する押圧部材と、
押圧部材を押圧・退避させる押圧部材駆動手段と、
冊子を移動させる搬送手段と、
搬送手段により冊子が押圧位置に到達したことを検知すると検知信号を出力する押圧位置センサとを有し、
制御手段は、押圧位置センサからの検知信号を受けると搬送手段を停止させ、押圧部材駆動手段に押圧部材を冊子に押圧させてこれを維持させるようにし、用紙供給装置から次の１冊分の最後の用紙を供給したときに発信される最終紙供給信号を受けると、綴じ手段と折り手段の動作を開始させ、押圧部材駆動手段に押圧部材を冊子から退避させるようにするとともに、搬送手段を動作させて冊子を排出させるように制御することを特徴とする製本処理装置。
【請求項２】
請求項１の制御手段の制御に加えて、冊子の押圧を開始してから次の１冊分の最終紙供給信号が到来しないまま予め設定した時間を経過したときに、押圧部材駆動手段に押圧部材を冊子から退避させるようにするとともに、搬送手段を動作させて冊子を排出させるように制御することを特徴とする製本処理装置。
【請求項３】
請求項１の構成に加えて、蓄積部の上流側に用紙の通過を検知する用紙検知センサを有し、
制御手段は、押圧位置センサからの検知信号を受けると搬送手段を停止させ、押圧部材駆動手段に押圧部材を冊子に押圧させてこれを維持させるようにし、用紙供給装置からの用紙供給信号および最終紙供給信号と用紙検知センサからの用紙検知信号を照合し、用紙検知信号が次の用紙束の最終紙の通過によるものと判断したときに、綴じ手段と折り手段の動作を開始させ、押圧部材駆動手段に押圧部材を冊子から退避させるようにするとともに、搬送手段を動作させて冊子を排出させるように制御することを特徴とする製本処理装置。
【請求項４】
請求項３の制御手段の制御に加えて、冊子の押圧を開始してから、用紙検知信号が次の用紙束の最終紙の通過によるものと判断されることなく予め設定した時間を経過したときに、押圧部材駆動手段に押圧部材を冊子から退避させるようにするとともに、搬送手段を動作させて冊子を排出させるよう制御することを特徴とする製本処理装置。
【請求項５】
請求項１の構成に加えて、蓄積部の上流側に、１冊分の最終紙に印刷された最終紙であることを示す最終紙情報を読み取る情報読取り手段を有し、
制御手段は、押圧位置センサからの検知信号を受けると搬送手段を停止させ、押圧部材駆動手段に押圧部材を冊子に押圧させてこれを維持させるようにし、情報読取り手段から次の用紙束の最終紙情報を受けると、綴じ手段と折り手段の動作を開始させ、押圧部材駆動手段に押圧部材を冊子から退避させるようにするとともに、搬送手段を動作させて冊子を排出させるように制御することを特徴とする製本処理装置。
【請求項６】
請求項５の制御手段の制御に加えて、冊子の押圧を開始してから、情報読取り手段から次の用紙束の最終紙情報を受けることなく予め設定した時間を経過したときに、押圧部材駆動手段に押圧部材を冊子から退避させるようにするとともに、搬送手段を動作させて冊子を排出させるように制御することを特徴とする製本処理装置。
【請求項７】
請求項１ないし請求項６のいずれか１項の構成に加えて、冊子押圧手段で押圧した冊子の小口を断裁して切り揃える小口断裁刃と、該小口断裁刃を駆動する断裁刃駆動手段とを有し、
制御手段は、押圧位置センサから検知信号を受けると、前記いずれか１項の制御に加えて、断裁刃駆動手段に小口断裁刃を押圧された冊子の小口を断裁させるように制御することを特徴とする製本処理装置。
【発明の詳細な説明】
【技術分野】
【０００１】
本発明は、複写機等の用紙供給装置から１枚ずつ供給されて来る用紙を１冊分毎に束ね、綴じ、二つ折りして冊子に製本し、更に冊子を押圧して折りのふくらみを少なくし必要に応じて製本された冊子の小口を揃えるための小口断裁を行う製本処理装置の技術分野に属する。
【背景技術】
【０００２】
用紙束の中央を綴じ、綴じた部分で二つ折りして作成する中綴じ折り冊子ではページ数が多くなるにつれ、折り目が復元しようとする力のせいで開きぎみとなり冊子全体が膨らむ。
このように膨らむと見栄えが悪いうえ、荷扱いも悪くなるので折り目をしっかりとつけることが望まれている。通常、製本機の折り目付け方法としては、２つのローラが接して回転する折りローラを通過させることにより行われているが、折りローラを通過するのは瞬間的であるためしっかりした折り効果は得られない。
【０００３】
そこでこの折り目を強化するために、中綴じ折り製本後に改めて折り目を強化していた。
１つの方法は、中綴じ折り冊子の小口断裁の際に冊子を折り目もろとも押圧して折り目を強化するという方法である。
中綴じ折り冊子は、用紙の厚さのため折った際の用紙が内側である程、小口で出っ張り断面で見た場合、三角形状になり、見栄えも悪く、またページをめくりにくいので、この部分を紙面に垂直に断裁して小口を平面状にすることが行われている。
【０００４】
この小口断裁を行う際には、まず冊子の膨らみをなくすように押さえるとともに、断裁刃の圧力によって用紙ずれが生じないように、小口近くを相当しっかりと押さえ付けておく必要がある。
このような押さえの際に、冊子の折り目も併せて押圧することにより折り目を強化するというものである。この押さえは、小口断裁が終了したら解除され冊子は排出される（例えば、特許文献１参照）。
【０００５】
小口断裁を行わない場合には、折り目だけを押圧することになる。この場合にも、押圧時間は、次の冊子が到来するまでの空き時間内に限定される。
しかし、折り目強化の観点からは許される限り押圧時間の長いことが望ましい。
【特許文献１】特開２００１−２４０２９６号公報（［００９６］〜［０１００］、図９、図１２）
【発明の開示】
【発明が解決しようとする課題】
【０００６】
然るに、上記従来技術のうち小口断裁を行う例では、冊子が断裁装置に搬送されて来て、ストッパで停止されると押圧板が下降して冊子を押圧し、断裁刃が下降して小口を断裁し、断裁が終了して断裁刃が所定位置に上昇するとこれを検知して押圧を解除し、搬送手段を動作させて冊子を排出するというように、冊子を押圧している時間が殆ど断裁に必要な時間程度の短い時間であるので折りの強化が充分ではなかった。
また、小口断裁を行わない例においても、従来の中綴じ折り製本装置は、１冊分ずつに束ねられた用紙束を次々に製本機へ搬入し、製本していたので、１冊製本してから次の１冊を製本するまでの時間が短かった。
従って、製本終了後の折り目押圧は、その短い時間の中で押圧するように短い時間が固定的に設定されていたので、折りの強化が充分ではなかった。
【０００７】
しかし近年、プリンタ等、印刷された用紙をページ順に１枚ずつ排出する装置に製本機を接続する場合が多くなって来た。このような場合は、製本機の蓄積部に１枚ずつ用紙を受け入れ、１冊分の蓄積が完了したら製本動作を開始させる。
このような製本動作では、１冊分の束ごとに搬入する場合に比べ、１冊の製本に要する時間が長くなる。
従って、この長い時間を冊子押圧のためにフル活用できれば、充分な折り目押圧が可能となるが、従来装置では、押圧動作が小口断裁に合わせて動作するようにされていたり、製本間隔の短い時間に合わせて短い時間が固定的に設定されているため、上記近年の長い製本間隔時間を冊子押圧にフル活用できないという問題があった。
【０００８】
本発明が解決しようとする課題は、上記従来技術の問題点に鑑みて、用紙供給装置から１枚ずつ用紙を受け入れて製本するため製本間隔が長い時間を、折り目強化の押圧時間にフル活用できる製本処理装置を提供することである。
【課題を解決するための手段】
【０００９】
本発明は、上記の課題を解決するために、以下の各手段構成を有する。
本発明の第１の構成は、用紙供給装置から１枚ずつ供給されて来る用紙を１冊分の用紙束まで蓄積する蓄積部と、
蓄積部に蓄積された用紙束の中央を綴じる綴じ手段と、
綴じた部分で用紙束を二つ折りにする折り手段と、
折りの戻りによるふくらみをなくするように折り目部分を押圧する冊子押圧手段と、
前記各手段の可動部の駆動制御をする制御手段とを有する製本処理装置において、
冊子押圧手段は、冊子の片面を受ける受け板と、
冊子の他面側から接近して他面を押え受け板との間で冊子を挟んで折り目を押圧する押圧部材と、
押圧部材を押圧・退避させる押圧部材駆動手段と、
冊子を移動させる搬送手段と、
搬送手段により冊子が押圧位置に到達したことを検知すると検知信号を出力する押圧位置センサとを有し、
制御手段は、押圧位置センサからの検知信号を受けると搬送手段を停止させ、押圧部材駆動手段に押圧部材を冊子に押圧させてこれを維持させるようにし、用紙供給装置から次の１冊分の最後の用紙を供給したときに発信される最終紙供給信号を受けると、綴じ手段と折り手段の動作を開始させ、押圧部材駆動手段に押圧部材を冊子から退避させるようにするとともに、搬送手段を動作させて冊子を排出させるように制御することを特徴とする製本処理装置である。
【００１０】
本発明の第２の構成は、前記第１の構成の制御手段の制御に加えて、冊子の押圧を開始してから次の１冊分の最終紙供給信号が到来しないまま予め設定した時間を経過したときに、押圧部材駆動手段に押圧部材を冊子から退避させるようにするとともに、搬送手段を動作させて冊子を排出させるように制御することを特徴とする製本処理装置である。
【００１１】
本発明の第３の構成は、前記第１の構成に加えて、蓄積部の上流側に用紙の通過を検知する用紙検知センサを有し、
制御手段は、押圧位置センサからの検知信号を受けると搬送手段を停止させ、押圧部材駆動手段に押圧部材を冊子に押圧させてこれを維持させるようにし、用紙供給装置からの用紙供給信号および最終紙供給信号と用紙検知センサからの用紙検知信号を照合し、用紙検知信号が次の用紙束の最終紙の通過によるものと判断したときに、綴じ手段と折り手段の動作を開始させ、押圧部材駆動手段に押圧部材を冊子から退避させるようにするとともに、搬送手段を動作させて冊子を排出させるように制御することを特徴とする製本処理装置である。
【００１２】
本発明の第４の構成は、前記第３の構成の制御手段の制御に加えて、冊子の押圧を開始してから、用紙検知信号が次の用紙束の最終紙の通過によるものと判断されることなく予め設定した時間を経過したときに、押圧部材駆動手段に押圧部材を冊子から退避させるようにするとともに、搬送手段を動作させて冊子を排出させるよう制御することを特徴とする製本処理装置である。
【００１３】
本発明の第５の構成は、前記第１の構成に加えて、蓄積部の上流側に、１冊分の最終紙に印刷された最終紙であることを示す最終紙情報を読み取る情報読取り手段を有し、
制御手段は、押圧位置センサからの検知信号を受けると搬送手段を停止させ、押圧部材駆動手段に押圧部材を冊子に押圧させてこれを維持させるようにし、情報読取り手段から次の用紙束の最終紙情報を受けると、綴じ手段と折り手段の動作を開始させ、押圧部材駆動手段に押圧部材を冊子から退避させるようにするとともに、搬送手段を動作させて冊子を排出させるように制御することを特徴とする製本処理装置である。
【００１４】
本発明の第６の構成は、前記第５の構成の制御手段の制御に加えて、冊子の押圧を開始してから、情報読取り手段から次の用紙束の最終紙情報を受けることなく予め設定した時間を経過したときに、押圧部材駆動手段に押圧部材を冊子から退避させるようにするとともに、搬送手段を動作させて冊子を排出させるように制御することを特徴とする製本処理装置である。
【００１５】
本発明の第７の構成は、前記第１の構成ないし第６の構成のいずれか１つの構成に加えて、冊子押圧手段で押圧した冊子の小口を断裁して切り揃える小口断裁刃と、該小口断裁刃を駆動する断裁刃駆動手段とを有し、
制御手段は、押圧位置センサから検知信号を受けると、前記いずれか１項の制御に加えて、断裁刃駆動手段に小口断裁刃を押圧された冊子の小口を断裁させるように制御することを特徴とする製本処理装置である。
【発明の効果】
【００１６】
本発明の第１の構成においては、制御手段が、押圧位置センサから、中綴じ折り冊子が押圧位置に達したことを検知した信号を受けると、押圧部材を冊子に押圧させてその状態を保ち、用紙供給装置（例えばページ順に１枚ずつ製本装置へ供給するプリンタ）から、次の１冊分の最終紙供給信号を受けると現に押圧している押圧部材を冊子から退避させ搬送手段を動作させて冊子を排出させるというものであるから、次の冊子が押圧手段へ送り込まれて来る時点よりも綴じ手段と折り手段でかかる時間だけ前の時点まで押圧を続けていることとなり、通常は、１冊分の用紙が蓄積する迄の時間は綴じ手段と折り手段でかかる時間よりは長いから、蓄積時間から綴じ折り時間を差し引いた時間だけ押圧することになり、蓄積に時間がかかることにより製本時間間隔が長くなった分だけ押圧時間を長くすることができ折り目強化を図ることができるという利点がある。
【００１７】
第２の構成においては、最終紙供給信号が到来しないまま、予め設定した時間を経過したときには、押圧を解除して冊子を排出するというものであるから、給紙装置からの給紙が供給終了や故障により停止しても現に押圧している冊子は設定時間だけの押圧を受けて排出されるという利点がある。
【００１８】
第３の構成においては、押圧動作を行わせるまでは第１の構成と同様であり、押圧解除については、用紙供給装置からの用紙供給信号および最終紙供給信号と、蓄積部の上流側に設けられた用紙検知センサからの用紙検知信号を照合して用紙検知信号が、次の用紙束の最終紙の通過によるものと判断されたときに押圧を解除して冊子を排出させるというものであるから、第１の構成のように用紙供給装置からの最終紙供給信号により、解除・排出させる場合よりも、冊子押圧手段への次の冊子の到来時点に対してより間近の信号により解除・排出させることになり、その分だけ押圧時間が長くなるという利点があるとともに、用紙供給装置と製本処理装置との間の距離やその間の搬送速度に影響されないので距離や搬送速度の異なる様々なシステムに対応できるという利点がある。
【００１９】
第４の構成においては、第２の構成と同様、次の１冊分の最終紙が到来しなくとも現に押圧している冊子は設定時間だけの押圧を受けて排出されるという利点がある。
【００２０】
第５の構成においては、蓄積部の上流側に設けた情報読取り手段が最終紙情報を読み取ったときに押圧を解除して冊子を排出させるというものであるから、第３の構成の場合と同様に、第１の構成の場合よりも押圧時間が長くなるとともに、用紙供給装置と製本装置との間の距離やその間の搬送速度に影響されないので、距離や搬送速度の異なる様々なシステムに対応できるという利点がある。
【００２１】
第６の構成においては、第２の構成と同様に、次の１冊分の最終紙が到来しなくとも現に押圧されている冊子は設定時間だけの押圧を受けて排出されるという利点がある。
【００２２】
第７の構成は、第１ないし第６の構成に、押圧手段が冊子を押圧したときに小口を断裁する手段を併設したものであるから、押圧による折り目強化だけでなく、ページ数が多いため小口断裁の必要のある冊子をも製本できるという利点がある。
【発明を実施するための最良の形態】
【００２３】
本発明の最良の実施形態としては、用紙を蓄積する蓄積部と綴じ手段と折り手段とを１つの筐体にまとめ、中綴じ折り機とし、押圧手段を１つの筐体にまとめて冊子押圧機とするか或いは押圧手段と小口断裁手段とを１つの筐体にまとめて押圧小口断裁機とし、必要に応じて中綴じ折り機と冊子押圧機を連結するか或いは中綴じ折り機と押圧小口断裁機を連結するかの選択を可能とするのが最良の構成実施形態である。
【００２４】
また、中綴じ折り機の蓄積部の上流に設ける用紙検知センサと情報読取り手段はいずれかを選択交換可能な構成にして置き、用紙供給装置が供給される最終紙に最終紙であることを示す情報が印刷されている場合といない場合に応じて、容易に選択し得るようにしておくのが最良の実施形態である。
【実施例１】
【００２５】
次に本発明の実施例について図面を参照して説明する。
図１は、本発明の第１の実施例の構成を示す図である。
本発明の構成外であるプリンタ２４は印刷を終えた用紙を１枚ずつページ順に排出する。そして１冊分の最終用紙を排出したときには最終紙供給信号を出力する。
プリンタ２４から排出された用紙は、本発明製本処理装置の構成である中綴じ折り機１２へ搬送される。中綴じ折り機１２では１枚ずつ送られて来た用紙は、その先端が綴じストッパ２０に当接して停止し蓄積部１７に蓄積されていく。
綴じストッパ２０の位置は蓄積された用紙束１６の丁度中央が綴じ手段１５（ステープラ）の綴じ針打ち込み位置の下に来るような位置となっている。そして、１冊分の最終紙がプリンタ２４から供給されると、プリンタ２４から最終紙供給信号が制御手段１９へ送られてくる。それによって制御手段１９は綴じ手段１５に綴じ動作を行わせ、その後綴じストッパ２０を下方へ退避させ、用紙束１６を図示されていない搬送手段により前進させ、今度は、先端が折りストッパ２１に当接して停止する。折りストッパ２１の位置は、用紙束の綴じ部分が丁度折りナイフ１８の上に来る位置に設定されている。綴じ部分が折りナイフ１８の上に来ると折りナイフ１８を上に押し上げ、先端部で綴じ部分を２つのローラからなる折りローラ１４の間へ押し込んで二つ折りにする。
【００２６】
こうして二つ折りにされた中綴じ折り冊子２５は、搬送路１３を経て押圧・小口断裁機１へ送られる。
この二つ折り動作が終わった後は、綴じストッパ２０が再び上昇し、プリンタ２４からは、次の冊子のための用紙が供給され始める。
押圧・小口断裁機１に入った中綴じ折り冊子２５は、搬送手段１１によって搬送され折り部分が押圧位置ストッパ１０に当接して、受け板８上に停止する。押圧位置ストッパ１０に当接したことは、その直前位置に設けられている押圧位置センサ９によって検知されその検知信号は制御手段１９へ送られる。
検知信号を受けた制御手段１９は押圧部材駆動手段４へ制御信号を送り押圧部材５を受け板８上の中綴じ折り冊子２５へ押圧させる。
【００２７】
続いて、断裁刃駆動手段３へも制御信号を送り、先ず、小口押さえ２を降下させて小口近くの部分を下刃７と一体の受け部分に押さえて上刃６を下降させて小口を断裁する。断裁が終わったならば、上刃６、小口押さえ２の順で元の位置へ上昇させる。
従来例では、押圧部材５も小口押さえ２とほぼ同時に上昇させていたが、本発明では押圧部材５は押圧し続けている。
これら押圧と断裁動作の進行している一方で、プリンタ２４からは次の冊子のための用紙が、中綴じ折り機１２へ供給され、蓄積部１７への蓄積が進行している。
そして、プリンタ２４からその冊子の最終紙が供給され、最終紙供給信号が送られて来ると、制御手段１９は中綴じ折り機１２に前述のような綴じ折り動作を行わせるとともに、押圧部材駆動手段４に押圧部材の押圧開放を行わせるようにする。押圧位置ストッパ１０も退避し、押圧開放された中綴じ折り冊子２５は搬送手段１１によって排出されることになる。
【００２８】
なお、押圧・小口断裁機には、上刃及び小口押えと押圧部材とを連動させたものもあるが、その場合は、最終紙供給信号が送られてくるまで押圧部材とともに上刃及び小口押えも下降させたままにしておき、押圧部材の押圧開放とともに上刃及び小口押えを上昇させればよい。要は押圧部材の押圧を、最終紙供給信号が送られてくるまで続ければよい。
【００２９】
このように本発明の、中綴じ折り冊子に対する折り強化のための押圧は、プリンタが次の冊子の最終紙を送り出すまで継続しているので、従来のように、小口断裁が終わったら直ぐ開放する場合や、中綴じ折り機への用紙供給が、１冊分ずつの束で行われ蓄積に要する時間がなく中綴じ折りの周期が短い場合に合わせて押圧時間を短く固定設定していた場合に比べて、押圧時間を長くとることができ折りの強化を図ることができる。
【００３０】
そして、冊子に対する押圧を開始してから制御手段１９へ、次の１冊分の最終紙供給信号が到来しないまま予め設定した時間を経過したときには、押圧部材駆動手段４に押圧部材５を冊子から退避させるようにするとともに、搬送手段１１を作動させて冊子を排出させるように制御している。
これにより、プリンタ２４の用紙供給が終了した場合や、故障によって供給が停止した場合にも、すでに押圧中の冊子は排出できることになる。
【００３１】
しかし、この制御機能を具備していなくとも、折りを強化するという本来の目的効果は達成することができる。
また、第１の実施例では小口断裁手段を具備しているが、小口断裁の必要のない場合には具備していなくともよい。小口押さえ２がなくとも、押圧部材５により充分に折りの強化は行うことができる。
【００３２】
以上、予め設定時間経過したときに押圧を開放し、排出する点および断裁手段がなくともよい場合のあることは、次の第２の実施例および第３の実施例においても同様である。
【実施例２】
【００３３】
図２は、本発明の第２の実施例の構成を示す図である。
図１の構成と異なる点は、中綴じ折り機１２の蓄積部１７の上流位置に用紙検知センサ２２を設け、プリンタ２４からは最終紙検知信号に加えて、供給用紙１枚毎の信号である用紙供給信号を制御手段１９で受けている点である。
実施例１では、プリンタ２４が最終紙供給信号を発したならば中綴じ折り冊子の押圧を解除するというものであるのに対し、実施例２では、制御手段１９にプリンタからの用紙供給信号と最終紙供給信号を受け、用紙検知センサ２２から用紙検知信号を受け、両者を照合することによって、用紙検知センサ２２で通過が検知された用紙が、１冊分の最後の用紙であるか否かを判定し、最後の用紙（最終紙）であると判定した場合に、制御手段１９は綴じ折り動作を開始させるとともに、前の中綴じ折り冊子２５に対する押圧部材の押圧を解除させる。
【００３４】
その結果、押圧を解除する時点は、第１の実施例の場合よりも、プリンタ２４が最終紙供給信号を発してから、最終紙が実際に用紙検知センサ２２に到達するまでの時間だけ遅くなることになる。
このことは前の中綴じ折り冊子２５に対する押圧時間が、遅れ時間分だけ長くなり、その分だけ更に折りが強化されることを意味する。
また、この構成によれば、押圧時間は、プリンタ２４から中綴じ折り機１２までの用紙搬送時間の長短に影響されることはなくなる。
【実施例３】
【００３５】
図３は、本発明の第３の実施例の構成を示す図である。
図１、図２の構成と異なる点は、制御手段１９がプリンタ２４から用紙供給信号も最終紙供給信号も受けておらず、また、蓄積部１７の上流位置に、図２の用紙検知センサ２２に代えて情報読取り手段２３を設けた点である。
情報読取り手段２３は、１冊の最終紙に印刷されている最終紙であることを示す情報を読み取る手段である。
従って、最終紙が情報読取り手段２３の前を通過すると最終紙情報が制御手段１９へ送られる。そうすると、制御手段１９は綴じ折り動作を開始させるとともに、前の中綴じ折り冊子２５に対する押圧部材の押圧を解除させる。
【００３６】
即ち、最終紙が蓄積部１７の上流に設けた情報読取り手段２３を通過したならば押圧を開放する点では第２の実施例において最終紙が、蓄積部１７の上流に設けた用紙検知センサ２２を通過したならば押圧を開放する点と同じである。
【００３７】
従って、第１の実施例に比べて中綴じ折り冊子２５に対する押圧時間が、プリンタ２４が最終紙供給信号を発してから最終紙が実際に情報読取り手段２３に到達するまでの時間だけ長くなる点および、押圧時間が、プリンタ２４から中綴じ折り機１２までの用紙搬送時間の長短に影響されることはないという点は第２の実施例と同様である。
【００３８】
なお、第１の実施例ないし第３の実施例においては、中綴じ折り機１２に用紙を１枚ずつ供給する装置の例としてプリンタ２４を示してあるが、用紙供給装置としてはプリンタに限定されることなく、綴じ折りを必要とする用紙を１冊分の用紙のページ順に１枚ずつ供給することを繰り返し行う装置を前提としている。
【図面の簡単な説明】
【００３９】
【図１】本発明製本処理装置の第１の実施例の構成を示す図である。
【図２】本発明製本処理装置の第２の実施例の構成を示す図である。
【図３】本発明製本処理装置の第３の実施例の構成を示す図である。
【符号の説明】
【００４０】
１  押圧・小口断裁機
２  小口押さえ
３  断裁刃駆動手段
４  押圧部材駆動手段
５  押圧部材
６  上刃
７  下刃
８  受け板
９  押圧位置センサ
１０  押圧位置ストッパ
１１  搬送手段
１２  中綴じ折り機
１３  搬送路
１４  折りローラ
１５  綴じ手段
１６  用紙束
１７  蓄積部
１８  折りナイフ
１９  制御手段
２０  綴じストッパ
２１  折りストッパ
２２  用紙検知センサ
２３  情報読取り手段
２４  プリンタ
２５  中綴じ折り冊子
【図１】
2007191280.tif 000003
【図２】
2007191280.tif 000004
【図３】
2007191280.tif 000005